(57)【要約】【課題】撮影窓の曇りを除去するワイパーを備えた防水ケースを低コストで提供する。【解決手段】前ケース４４の内壁には、ワイパー６０が軸４４ａを中心として回動自在に取り付けられている。ワイパー６０の端部６０ｃには、ワイヤー６３の一端部が取り付けられ、他端部が電源スイッチ操作部材５５に取り付けられている。電源スイッチ操作部材５５を操作する度に、ワイヤー６３がワイパー６０の端部６０ｃを押したり引いたりするから、これに従ってワイパー６０が軸４４ａを中心に回動し、拭き取り部材６０ｂが撮影窓５０の表面を拭き、撮影窓５０の曇りを除去する。【選択図】        図４
2006084528.tif 000002
【特許請求の範囲】
【請求項１】
カメラを水密に収納するケース本体と、このケース本体に前記カメラを収納した状態で前記撮影レンズと対面する部位に設けられ、前記撮影レンズへ向けて外光を透過する透明部材からなる撮影窓と、前記カメラを収納した際に該カメラの電源スイッチと係合し、前記ケース本体の外から移動操作することにより前記カメラの電源スイッチをオン／オフする電源スイッチ操作部材とを備えた防水ケースにおいて、
前記ケース本体の内部に設けられ、前記電源スイッチ操作部材の移動動作を前記撮影窓の近傍まで伝達する伝達部材と、
前記伝達部材に連結され、前記電源スイッチ操作部材の移動動作に連動して前記撮影窓の内面に摺接しながら前記撮影窓を横切るように変位することにより前記撮影窓を拭くワイパーと、
を設けたことを特徴とする防水ケース。
【発明の詳細な説明】
【技術分野】
【０００１】
本発明は、カメラを水密に収納する防水ケースに関するものである。
【背景技術】
【０００２】
カメラを用いて水中撮影を行う場合、一般にカメラを水密に収納する防水ケースが用いられる。防水ケースに水密に収納したカメラを水中に入れたとき、ケース内部の温度よりも水温が低い場合、ケース内部に結露が発生する。これにより、防水ケースに形成された撮影窓が曇り、撮影に影響を与える。
【０００３】
防水ケースの中には、撮影窓の曇りを除去するために、撮影窓のケース内面側を拭く電動式のワイパーを備えたものがある（たとえば、特許文献１参照）。
【特許文献１】特開平５−１９１６９１号公報
【発明の開示】
【発明が解決しようとする課題】
【０００４】
ところが、上記特許文献１記載の防水ケースに設けたワイパーは電動式であるために、モータ及びモータ駆動の制御回路等が必要となり、防水ケースのコストが高くなる欠点がある。
【０００５】
本発明は、上記問題を考慮してなされたもので、撮影窓を拭くワイパーを備えた防水ケースを低コストで提供することを目的とする。
【課題を解決するための手段】
【０００６】
上記目的を達成するにあたり、本発明の防水ケースは、カメラを水密に収納するケース本体と、このケース本体に前記カメラを収納した状態で前記撮影レンズと対面する部位に設けられ、前記撮影レンズへ向けて外光を透過する透明部材からなる撮影窓と、前記カメラをケース本体に収納した際に該カメラの電源スイッチと係合し、前記ケース本体の外から移動操作することにより前記カメラの電源スイッチをオン／オフする電源スイッチ操作部材とを備え、前記ケース本体の内部に設けられ、前記電源スイッチ操作部材の移動動作を前記撮影窓の近傍まで伝達する伝達部材と、前記伝達部材に連結され、前記電源スイッチ操作部材の移動動作に連動して前記撮影窓の内面に摺接しながら前記撮影窓を横切るように変位することにより前記撮影窓を拭くワイパーとを設けたことを特徴とする。
【発明の効果】
【０００７】
電源スイッチ操作部材の移動操作に連動して、ワイパーが撮影窓の面を摺接しながら変位するので、ワイパーを変位させるためのモータや制御回路を不用とすることができ、ワイパーを備えた防水ケースを低コストで提供できる。
【発明を実施するための最良の形態】
【０００８】
本発明の防水ケースに収納するカメラとしてのデジタルカメラを示す図１において、デジタルカメラ２のカメラボディ６前面には、撮影レンズ１０と、ストロボ発光部１２と、ファインダ対物窓１６とが組み込まれている。
【０００９】
カメラボディ６上部には、電源スイッチ２０と、レリーズボタン２２とが設けられている。電源スイッチ２０を図中矢印方向にスライドすると、デジタルカメラ２の電源がオンになる。また、矢印反対方向に電源スイッチ２０をスライドすると、デジタルカメラ２の電源がオフになる。レリーズボタン２２を強く押圧すると、撮影レンズ１０から取り込まれた被写体光が、デジタルの画像データに変換されてメモリカード１８（図２参照）に書き込まれる。
【００１０】
図２に示すように、カメラボディ６の背面には、液晶ディスプレイ（ＬＣＤ）２４と、ファインダ接眼窓２５と、ズーム操作などの各種の操作ボタン３０が形成されている。ＬＣＤ２４は、撮影モード時にスルー画を表示し、再生モード時にメモリーカード１８に記憶された画像を表示する。カメラボディ６の側面には、メモリカード１８を挿入するメモリスロット３２が形成されている。また、カメラボディ６の下部には、バッテリー（図示せず）がセットされるバッテリー収納室３３が設けられている。
【００１１】
デジタルカメラ２を水密に収納する防水ケース４０を示す図３において、前ケース４４と後ケース４５とからなる。前ケース４４には、透明なＦＬ強化ガラスからなる撮影窓５０が形成されている。この撮影窓５０を通して撮影レンズ１０に被写体光が入射する。また、前ケース４４の上部には、電源スイッチ操作部材５５及びレリーズ操作部材５７が設けられている。
【００１２】
電源スイッチ操作部材５５は、前ケース４４の上部に水密性を保持したままスライド操作自在に組み込まれている。前ケース４４内に突出した電源スイッチ操作部材５５の下部には、これに形成された嵌合穴を介して電源スイッチ２０が嵌合され、電源スイッチ操作部材５５のスライド操作に伴って電源スイッチ２０がオン／オフされる。
【００１３】
レリーズ操作部材５７は、前ケース４４の上部に水密性を保持したまま押圧自在に組み込まれている。レリーズ操作部材５７の下部は前ケース４４内に突出しており、レリーズ操作部材５７の押圧操作に伴ってレリーズボタン２２が押圧される。
【００１４】
前ケース４４の内部を示す図４において、撮影窓５０の近傍には、細長い平板状をしたワイパー６０が軸孔６０ａと前ケース４４の内壁に植設された軸４４ａとを介して回動自在に取り付けられている。ワイパー６０の撮影窓５０側の面には、フランネルやスポンジ等の柔らかい材料から形成され、撮影窓５０の表面を拭く拭き取り部材６０ｂが貼着されている。なお、符号４４ｂ、４４ｃは、ワイパー６０の回動範囲を規制するストッパーである。
【００１５】
前記ワイパー６０の軸４４ａを挟んで拭き取り部材６０ｂと反対側の端部には、伝達部材としてのワイヤー６３の一端部がが金具６４を介して回動自在に取り付けられている。このワイヤー６３は、前ケース４４の内壁に固定されたガイドパイプ６５に挿通して設けられており、ガイドパイプ６５の他方の口から突出したワイヤー６３の他端部が電源スイッチ操作部材５５に取り付けられている。すなわち、電源スイッチ操作部材５５を操作する度に、ワイヤー６３がワイパー６０の端部６０ｃを押したり引いたりするから、これに従ってワイパー６０が軸４４ａを中心に回動し、拭き取り部材６０ｂが撮影窓５０の表面を拭き、撮影窓５０の曇りを除去する。
【００１６】
符号７５〜７８は、緩衝部材で、ケース内部に収納したデジタルカメラ２を安定させ、傷が付いたり、故障するのを防止する。
【００１７】
後ケース４５には、押圧をしたときに水密性を保持したままで前記操作ボタン３０を操作する各種の操作部材（図示せず）が設けられている。また、後ケース４５には、ＬＣＤ２４に映し出される画像を確認できる透明部材からなる確認窓（図示せず）が設けられている。
【００１８】
次に上記実施形態の作用について説明する。デジタルカメラ２を防水ケースに収納した直後では、図５（Ａ）に示すように、ワイパー６０は、撮影窓５０の外側でストッパー４４ｃに当接した初期位置にある。電源スイッチ操作部材を移動操作すると、デジタルカメラ２の電源がオンになるとともに、ワイパー６０の端部６０ｃがワイヤー６３によって引っ張られ、軸４４ａ中心にワイパー６０ｂが反時計回りに回動し、（Ｂ）に示す位置に至る。この間に拭き取り部材６０ｂが撮影窓５０の表面を拭き、撮影窓５０の曇りを除去する。撮影窓５０を被写体に向けてフレーミングを行い、レリーズ操作部材５７を押圧操作すると、これに連動してレリーズボタン２２が押圧操作され、撮影が行われる。
【００１９】
撮影終了後、電源スイッチ操作部材５５を移動操作して、デジタルカメラ２の電源をオフにすると、ワイパー６０の端部６０ｃがワイヤー６３によって押され、軸４４ａ中心にワイパー６０が時計回りに回動し、（Ａ）に示す初期位置に戻る。この間に、拭き取り部材６０ｂが撮影窓５０の表面を拭き、撮影窓５０の曇りを除去する。
【００２０】
なお、撮影終了前でも、撮影窓５０が曇ったら、電源スイッチ操作部材５５をスライド操作することにより、拭き取り部材６０ｂが撮影窓５０の表面を拭き、撮影窓５０の曇りが除去される。
【００２１】
このように、本発明の防水ケースは、電源操作部５５の移動動作に連動してワイパー６０が回動し、拭き取り部材６０ｂが撮影窓５０の曇りを除去するので、ワイパー６０を変位させるためのモータや制御回路が不用となり、低コストで提供できる。
【００２２】
以上説明した実施形態では、防水ケースに収納するカメラとしてデジタルカメラを採用したが、デジタルビデオカメラ、カメラ付き携帯電話などを用いてもよい。            
【図面の簡単な説明】
【００２３】
【図１】デジタルカメラを前面からみた外観斜視図である。
【図２】デジタルカメラを背面からみた外観斜視図である。
【図３】本発明を実施した防水ケースの外観斜視図である。
【図４】防水ケースのケース内部を示す図である。
【図５】ワイパーの動作を示す概略図である。
【符号の説明】
【００２４】
２  デジタルカメラ
１０  撮影レンズ
２０  電源スイッチ
２２  レリーズボタン
４０  防水ケース
５０  撮影窓
５５  電源スイッチ操作部材
５７  レリーズ操作部材
６０  ワイパー
６０ａ  軸孔
６０ｂ  拭き取り部材
６３  ワイヤー
【図１】
2006084528.tif 000003
【図２】
2006084528.tif 000004
【図３】
2006084528.tif 000005
【図４】
2006084528.tif 000006
【図５】
2006084528.tif 000007